(57)【要約】【課題】  簡便な現場指示計を提供する。【解決手段】  ２線式のフィールド機器の電流出力を検出する現場指示計において、前記電流出力から電力が供給され、前記電流出力に基づく電圧を生成する電流／電圧変換回路と、前記電圧から電力が供給され、前記電圧の値を検出する変換回路とを備えたことを特徴とする現場指示計。【選択図】                    図１
2007087099.tif 000002
【特許請求の範囲】
【請求項１】
２線式のフィールド機器の電流出力を検出する現場指示計において、
前記電流出力から電力が供給され、前記電流出力に基づく電圧を生成する電流／電圧変換回路と、
前記電圧から電力が供給され、前記電圧の値を検出する変換回路と
を備えたことを特徴とする現場指示計。
【発明の詳細な説明】
【技術分野】
【０００１】
本発明は、フィールド機器（伝送器等）の電流出力を表示する現場指示計に関する。
【背景技術】
【０００２】
従来の現場指示計は、２つの電流ループを備えるものもある（例えば特許文献１参照）。図３は、従来の現場指示計を示す構成図である。
【０００３】
同図において、伝送線の一方を基準電圧ＣＯＭとし、伝送線の他方を電圧Ｖ０とする。また、伝送線には２線式のフィールド機器（図示せず）が接続される。そして、伝送線には電流出力Ｉｉが流れる。
【０００４】
さらに、伝送線（電圧Ｖ０及び電圧ＣＯＭ）にはスイッチ素子Ｑ１と抵抗Ｒ０との直列接続が接続され、伝送線、スイッチＱ１及び抵抗Ｒ０は第１の電流ループを形成する。
【０００５】
また、ＤＣ／ＤＣコンバータ２０は電圧Ｖ０に接続される。また、変換回路２２はＤＣ／ＤＣコンバータ２０の出力に接続され、表示回路２３もＤＣ／ＤＣコンバータ２０の出力に接続される。
【０００６】
さらに、伝送線、ＤＣ／ＤＣコンバータ２０並びに変換回路２２及び表示回路２３は、第２の電流ループを形成する。そして、伝送線、スイッチＱ１及び抵抗Ｒ０から成る第１の電流ループと、伝送線、ＤＣ／ＤＣコンバータ２０並びに変換回路２２及び表示回路２３から成る第２の電流ループとは、並列に接続される。
【０００７】
また、スイッチ素子Ｑ１と抵抗Ｒ０との接続点は変換回路に接続され、スイッチ素子Ｑ１の制御端子は変換回路に接続される。さらに、変換回路２２の出力は表示回路２３に接続される。
【０００８】
このような、図３の従来例の動作を説明する。
【０００９】
まず、スイッチ素子Ｑ１がオフのとき、変換回路２２及び表示回路２３は、ＤＣ／ＤＣコンバータ２０の出力から電力が供給される。
【００１０】
次に、スイッチ素子Ｑ１がオンのとき、ＤＣ／ＤＣコンバータ２０は停止し、抵抗Ｒ０に電流出力Ｉｉが流れる。そして、抵抗Ｒ０には、電流出力Ｉｉに比例した電圧が生じる。また、変換回路２２はこの値を検出し、表示回路２３はこの値を表示する。
【００１１】
【特許文献１】特公平６−３２１５２号公報
【発明の開示】
【発明が解決しようとする課題】
【００１２】
しかしながら、図３の従来例は、スイッチ素子Ｑ１が必要であり、複雑であるという課題がある。
【００１３】
本発明の目的は、以上説明した課題を解決するものであり、簡便な現場指示計を提供することにある。
【課題を解決するための手段】
【００１４】
このような目的を達成する本発明は、次の通りである。
（１）２線式のフィールド機器の電流出力を検出する現場指示計において、前記電流出力から電力が供給され、前記電流出力に基づく電圧を生成する電流／電圧変換回路と、前記電圧から電力が供給され、前記電圧の値を検出する変換回路とを備えたことを特徴とする現場指示計。
（２）前記電圧を分圧し、分圧点が前記変換回路に接続された抵抗と、前記電圧を所定の電圧に変換するレギュレータと、前記レギュレータの出力から電力が供給され、前記変換回路の出力値を表示する表示回路とを備え、前記変換回路は、前記レギュレータの出力から電力が供給されることを特徴とする（１）記載の現場指示計。
【発明の効果】
【００１５】
本発明によれば次のような効果がある。
本発明によれば、簡便な現場指示計を提供できる。また、本発明によれば、スイッチ素子が不要となる。
【発明を実施するための最良の形態】
【００１６】
以下に図１に基づいて本発明を詳細に説明する。図１は、本発明の一実施例を示す構成図である。図３の従来例と同一の要素には同一符号を付し、説明を省略する。
【００１７】
図１の実施例の特徴は、電流／電圧変換回路１１と変換回路１２とに係る構成にある。
【００１８】
電流／電圧変換回路１１は、電圧Ｖ０に接続される。また、電流／電圧変換回路１１は、電流出力Ｉｉから電力が供給される。さらに、電流／電圧変換回路１１は、電流出力Ｉｉに基づく電圧Ｖ１を生成する。即ち、電流／電圧変換回路１１は、電流出力Ｉｉを電圧Ｖ１に変換する。そして、電流／電圧変換回路１１は、電圧Ｖ１のインピーダンスを低くする。
【００１９】
詳しくは、電流／電圧変換回路１１は、電流出力Ｉｉが単調に増加すれば電圧Ｖ１が単調に上昇し、電流出力Ｉｉが単調に減少すれば電圧Ｖ１が単調に低下するようにする。そして、例えば、電流／電圧変換回路１１は、直線的に単調変化する変換特性を有する。
【００２０】
また、変換回路１２は、電圧Ｖ１と電圧ＣＯＭとの間に接続され、電圧Ｖ１から電力が供給される。そして、変換回路１２は、電圧Ｖ１の値を検出する。
【００２１】
詳しくは、抵抗Ｒ１と抵抗Ｒ２との直列接続は、電圧Ｖ１と電圧ＣＯＭとの間に接続され、電圧Ｖ１を分圧する。また、抵抗Ｒ１と抵抗Ｒ２との接続点、即ち、分圧点の電圧を電圧Ｖ２とする。さらにまた、抵抗Ｒ１と抵抗Ｒ２との接続点は変換回路１２に接続される。このようにして、変換回路１２は、電圧Ｖ１の値を検出する。
【００２２】
さらに、表示回路１３も、電圧Ｖ１と電圧ＣＯＭとの間に接続され、電圧Ｖ１から電力が供給される。また、表示回路１３は、変換回路１２の出力に接続される。そして、表示回路１３は、変換回路１２の出力値を表示する。
【００２３】
このような図１の実施例の動作を説明する。
【００２４】
電流出力Ｉｉが増加すると、電圧Ｖ１が増加し、電圧Ｖ２が増加し、変換回路１２の出力が増加し、表示回路１３の表示の値が増加する。また、電流出力Ｉｉが減少すると、電圧Ｖ１が減少し、電圧Ｖ２が増減少し、変換回路１２の出力が減少し、表示回路１３の表示の値が減少する。
【００２５】
このようにして、図１の実施例は、電流出力Ｉｉを検出し、その値を表示する。
【００２６】
以下に図２に基づいて本発明を詳細に説明する。図２は、本発明の他の実施例を示す構成図である。図１の実施例と同一の要素には同一符号を付し、説明を省略する。
【００２７】
図２の実施例の特徴は、図１の実施例と同様に、電流／電圧変換回路１１と変換回路１２とに係る構成にある。
【００２８】
レギュレータ１４は、電圧Ｖ１に接続され、電圧Ｖ１から電力が供給される。また、レギュレータ１４は、電圧Ｖ１を電圧Ｖ３に変換する。さらに、レギュレータ１４は、電圧Ｖ３を所定の電圧に制御する。具体的には、レギュレータ１４は、電圧Ｖ３を一定の電圧に制御する。
【００２９】
さらに、変換回路１２は、電圧Ｖ３と電圧ＣＯＭとの間に接続され、電圧Ｖ３から電力が供給される。また、表示回路１３も、電圧Ｖ３と電圧ＣＯＭとの間に接続され、電圧Ｖ３から電力が供給される。
【００３０】
このような図２の実施例の動作は、図１の実施例の動作と同等となり、同等の作用効果がある。また、図２の実施例は、電圧Ｖ３が安定しているため、変換回路１２と表示回路１３との電気的特性が安定する。
【００３１】
本発明は、上述の実施例に限定されることなく、その本質を逸脱しない範囲でさらに多くの変更及び変形を含むものである。
【図面の簡単な説明】
【００３２】
【図１】本発明の一実施例を示す構成図である。
【図２】本発明の他の実施例を示す構成図である。
【図３】従来の現場指示計を示す構成図である。
【符号の説明】
【００３３】
１１  電流／電圧変換回路
１２  変換回路
１３  表示回路
１４  レギュレータ
Ｒ１，Ｒ２  抵抗
【図１】
2007087099.tif 000003
【図２】
2007087099.tif 000004
【図３】
2007087099.tif 000005